(57)【要約】【課題】利用者が利用したコンテンツ情報と、コンテンツ情報の利用に関連して利用者が登録した画像情報とを対応付ける情報処理装置及び情報処理プログラムを提供する。【解決手段】情報処理装置１は、コンテンツ情報１１１のコンテンツが再生された日時を示す再生履歴情報１１２及び画像情報１１３の撮影された日時を示す撮影履歴情報１１４を記憶する記憶部１１と、再生履歴情報１１２と撮影履歴情報１１４とに基づいてコンテンツ情報１１１と画像情報１１３とを対応付ける対応情報１１５を作成する対応情報作成手段１０４とを有する。【選択図】図２
2014192718.tif 000002
【特許請求の範囲】
【請求項１】
コンテンツ情報が再生された日時を示す再生履歴情報と、画像情報の撮影された日時を示す撮影履歴情報とに基づいて前記コンテンツ情報と前記画像情報とを対応付ける対応情報を作成する作成手段を有する情報処理装置。
【請求項２】
前記再生履歴情報は前記コンテンツ情報が再生された位置をさらに有し、前記撮影履歴情報は前記画像情報の撮影された位置をさらに有し、
前記作成手段は、さらに前記コンテンツ情報が再生された位置と前記画像情報の撮影された位置とに基づいて前記コンテンツ情報と前記画像情報とを対応付ける請求項１に記載の情報処理装置。
【請求項３】
前記画像情報が選択された場合に、前記画像情報を表示するとともに、前記対応情報に基づいて前記選択された画像情報に対応するコンテンツ情報を取得し、当該コンテンツ情報を再生して出力する出力手段をさらに有する請求項１又は２に記載の情報処理装置。
【請求項４】
前記画像情報が選択された場合に、前記対応情報に基づいて前記選択された画像情報に対応するコンテンツ情報を検索し、前記画像情報に当該コンテンツ情報を再生するための情報を付加して印刷して出力する出力手段をさらに有する請求項１又は２に記載の情報処理装置。
【請求項５】
前記画像情報が選択された場合に、前記対応情報に基づいて前記選択された画像情報に対応するコンテンツ情報を取得し、前記画像情報に当該コンテンツ情報をテキスト化して付加して印刷して出力する出力手段をさらに有する請求項１又は２に記載の情報処理装置。
【請求項６】
前記作成手段は、前記再生履歴情報を基準として範囲を設定し、当該範囲に含まれる前記撮影履歴情報を有する画像情報と、前記コンテンツ情報とを対応付ける請求項１−５のいずれか１項に記載の情報処理装置。
【請求項７】
コンピュータを、
コンテンツ情報が再生された日時を示す再生履歴情報と、画像情報の撮影された日時を示す撮影履歴情報とに基づいて前記コンテンツ情報と前記画像情報とを対応付ける対応情報を作成する作成手段して機能させるための情報処理プログラム。
【発明の詳細な説明】
【技術分野】
【０００１】
本発明は、情報処理装置及び情報処理プログラムに関する。
【背景技術】
【０００２】
従来の技術として、利用者が登録した画像情報に関連付けられた音声又は動画情報にアクセスするためのアクセス情報を画像情報の印刷の際に付加する情報処理装置が提案されている（例えば、特許文献１参照）。
【０００３】
特許文献１に開示された情報処理装置は、利用者がサーバ等に登録した音声情報若しくは動画情報又は予め用意された音声情報若しくは動画情報を選択させ、利用者が登録した画像情報との関連付けを受け付ける。また、情報処理装置は、利用者の要求に応じて画像情報を印刷する際に、当該画像情報に関連付けられた音声情報又は動画情報にアクセスするためのアクセス情報を画像情報に付加して印刷装置において印刷する。
【先行技術文献】
【特許文献】
【０００４】
【特許文献１】特開２００６−１２７０３３号公報
【発明の概要】
【発明が解決しようとする課題】
【０００５】
本発明の目的は、利用者が利用したコンテンツ情報と、コンテンツ情報の利用に関連して利用者が登録した画像情報とを対応付ける情報処理装置及び情報処理プログラムを提供することにある。
【課題を解決するための手段】
【０００６】
本発明の一態様は、上記目的を達成するため、以下の情報処理装置及び情報処理プログラムを提供する。
【０００７】
［１］コンテンツ情報が再生された日時を示す再生履歴情報と、画像情報の撮影された日時を示す撮影履歴情報とに基づいて前記コンテンツ情報と前記画像情報とを対応付ける対応情報を作成する作成手段を有する情報処理装置。
【０００８】
［２］前記再生履歴情報は前記コンテンツ情報が再生された位置をさらに有し、前記撮影履歴情報は前記画像情報の撮影された位置をさらに有し、
前記作成手段は、さらに前記コンテンツ情報が再生された位置と前記画像情報の撮影された位置とに基づいて前記コンテンツ情報と前記画像情報とを対応付ける前記［１］に記載の情報処理装置。
【０００９】
［３］前記画像情報が選択された場合に、前記画像情報を表示するとともに、前記対応情報に基づいて前記選択された画像情報に対応するコンテンツ情報を取得し、当該コンテンツ情報を再生して出力する出力手段をさらに有する前記［１］又は［２］に記載の情報処理装置。
【００１０】
［４］前記画像情報が選択された場合に、前記対応情報に基づいて前記選択された画像情報に対応するコンテンツ情報を検索し、前記画像情報に当該コンテンツ情報を再生するための情報を付加して印刷して出力する出力手段をさらに有する前記［１］又は［２］に記載の情報処理装置。
【００１１】
［５］前記画像情報が選択された場合に、前記対応情報に基づいて前記選択された画像情報に対応するコンテンツ情報を取得し、前記画像情報に当該コンテンツ情報をテキスト化して付加して印刷して出力する出力手段をさらに有する前記［１］又は［２］に記載の情報処理装置。
【００１２】
［６］前記作成手段は、前記再生履歴情報を基準として範囲を設定し、当該範囲に含まれる前記撮影履歴情報を有する画像情報と、前記コンテンツ情報とを対応付ける前記［１］−［５］のいずれかに記載の情報処理装置。
【００１３】
［７］コンピュータを、
コンテンツ情報が再生された日時を示す再生履歴情報と、画像情報の撮影された日時を示す撮影履歴情報とに基づいて前記コンテンツ情報と前記画像情報とを対応付ける対応情報を作成する作成手段して機能させるための情報処理プログラム。
【発明の効果】
【００１４】
請求項１又は７に係る発明によれば、利用者が利用したコンテンツ情報と、コンテンツ情報の利用に関連して利用者が登録した画像情報とを対応付けることができる。
【００１５】
請求項２に係る発明によれば、利用者が利用したコンテンツ情報と、利用したコンテンツ情報に基づいて利用者が登録した画像情報とを位置に基づいて対応付けることができる。
【００１６】
請求項３に係る発明によれば、画像情報とともに対応付けられたコンテンツを再生することができる。
【００１７】
請求項４に係る発明によれば、画像情報に対応付けられたコンテンツを再生するための情報を付加して画像情報を印刷することができる。
【００１８】
請求項５に係る発明によれば、画像情報に対応付けられたコンテンツをテキスト化して画像情報に付加して印刷することができる。
【００１９】
請求項６に係る発明によれば、再生履歴情報を基準として範囲を設定し、当該範囲に含まれる撮影履歴情報を有する画像情報と、コンテンツとを対応付けることができる。
【図面の簡単な説明】
【００２０】
【図１】図１は、情報処理装置の使用態様の一例を示す概略図である。
【図２】図２は、情報処理装置の構成の一例を示すブロック図である。
【図３】図３は、コンテンツ情報の構成の一例を示す概略図である。
【図４】図４は、再生履歴情報の構成の一例を示す概略図である。
【図５】図５は、撮影履歴情報の構成の一例を示す概略図である。
【図６】図６は、対応情報の構成の一例を示す概略図である。
【図７】図７は、情報処理装置の基本動作の一例を示すフローチャートである。
【図８】図８は、情報処理装置のコンテンツ検索動作の一例を説明するフローチャートである。
【図９】図９は、コンテンツ検索条件としてのコンテンツ検索時間帯と再生履歴情報から得られるコンテンツ再生時間との関係の一例を示す概略図である。
【図１０】図１０は、情報処理装置のコンテンツ出力動作の一例を説明するフローチャートである。
【図１１】図１１（ａ）は、画像情報の一覧を表示した場合の表示部の構成の一例を示す概略図である。図１１（ｂ）は、選択された画像情報を表示し、選択された画像情報に対応するコンテンツを再生する情報処理装置の構成の一例を示す概略図である。
【図１２】図１２（ａ）及び（ｂ）は、出力手段の画像情報及びコンテンツ情報の出力方法の他の例を示す概略図である。
【図１３】図１３は、出力手段の画像情報及びコンテンツ情報の出力方法の他の例を示す概略図である。
【発明を実施するための形態】
【００２１】
［実施の形態］
（使用態様）
図１は、情報処理装置の使用態様の一例を示す概略図である。また、図２は、情報処理装置１の構成の一例を示すブロック図である。
【００２２】
情報処理装置１は、利用者２によって携帯されるものであり、案内対象３を案内する範囲に入ると、案内対象３を案内するために内蔵する記憶部１１に予め登録されたコンテンツ情報１１１を再生する。案内用のコンテンツ情報１１１は、一例として、音声で再生され、情報処理装置１の音声出力部１４から出力される。なお、利用者２は、徒歩、自転車、自動車、電車、船舶、飛行機、ロケット等の移動手段により移動する。また、案内用のコンテンツ情報１１１は映像、静止画、テキスト等又はこれらの組み合わせであってもよい。
【００２３】
さらに、情報処理装置１は撮像部１６を有し、利用者２の操作により案内対象３等を撮像することで画像情報１１３を生成する。生成された画像情報１１３は記憶部１１に保存される。
【００２４】
情報処理装置１は、少なくとも案内用のコンテンツ情報１１１の再生日時を再生履歴情報１１２として、画像情報１１３の生成日時を撮影履歴情報１１４として記録するものとする。さらに、情報処理装置１は、案内用のコンテンツ情報１１１の再生した際の位置情報、画像情報１１３を生成した際の位置情報を記録する。
【００２５】
（情報処理装置の構成）
情報処理装置１は、ＣＰＵ（Ｃｅｎｔｒａｌ  Ｐｒｏｃｅｓｓｉｎｇ  Ｕｎｉｔ）等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記録媒体から構成され情報を記憶する記憶装置の一例としての記憶部１１と、ネットワークを介して外部と通信する通信部１２と、ＬＣＤ（Ｌｉｑｕｉｄ  Ｃｒｙｓｔａｌ  Ｄｉｓｐｌａｙ）等の表示部１３と、スピーカ及びアンプ等より構成されて音声を出力する音声出力部１４と、タッチパッド又は複数の操作キーからなる操作部１５と、撮像することで画像情報１１３を生成する撮像部１６と、自己の装置の位置情報としてＧＰＳ（Ｇｌｏｂａｌ  Ｐｏｓｉｔｉｏｎｉｎｇ  Ｓｙｓｔｅｍ）情報を受信する位置情報取得部１７とを備える。
【００２６】
制御部１０は、記憶部１１の情報処理プログラム１１０を実行することで、コンテンツ再生手段１００、再生履歴記録手段１０１、写真撮影手段１０２、コンテンツ検索手段１０３、対応情報作成手段１０４、画像情報選択手段１０５及び出力手段１０６等として機能する。
【００２７】
コンテンツ再生手段１００は、位置情報取得部１７が取得した位置情報に基づいて記憶部１１に予め登録された案内対象３を案内するためのコンテンツ情報１１１を再生する。
【００２８】
再生履歴記録手段１０１は、少なくともコンテンツ再生手段１００がコンテンツ情報１１１を再生した日時を再生履歴情報１１２として記録する。本実施の形態においては、コンテンツ情報１１１を再生した際に位置情報取得部１７が取得した位置情報をさらに再生履歴情報１１２として記録する。
【００２９】
写真撮影手段１０２は、操作部１５に対する利用者の操作に応じて、撮像部１６を制御して写真を撮像し、画像情報１１３を生成して記録する。また、写真撮影手段１０２は、少なくとも当該画像情報１１３を生成した日時を撮影履歴情報１１４として記録する。本実施の形態においては、当該画像情報１１３を生成した際に位置情報取得部１７が取得した位置情報をさらに撮影履歴情報１１４として記録する。
【００３０】
コンテンツ検索手段１０３は、撮影履歴情報１１４を参照することで、画像情報１１３の撮影された日時を取得し、当該撮影された日時に基づいて画像情報１１３に対応付けるべきコンテンツ情報１１１を、再生履歴情報１１２を参照して検索する。また、コンテンツ検索手段１０３は、画像情報１１３の撮影された位置に基づいて画像情報１１３に対応付けるべきコンテンツ情報１１１を、再生履歴情報１１２を参照して検索する。
【００３１】
対応情報作成手段１０４は、画像情報１１３と、コンテンツ検索手段１０３によって検索されたコンテンツ情報１１１とを対応付ける対応情報１１５を作成する。
【００３２】
画像情報選択手段１０５は、操作部１５に対する利用者の操作に応じて、記憶部１１から単数又は複数の画像情報１１３を選択する。
【００３３】
出力手段１０６は、画像情報選択手段１０５によって選択された画像情報１１３を表示して出力するとともに、対応情報１１５によって当該画像情報１１３に対応付けられたコンテンツ情報１１１を再生して出力する。
【００３４】
記憶部１１は、制御部１０を上記した手段１００−１０６として機能させるための情報処理プログラム１１０、案内対象毎に用意された案内用のコンテンツであるコンテンツ情報１１１、コンテンツ情報１１１が再生された履歴を示す再生履歴情報１１２、撮像部１６が生成した画像情報１１３、撮像部１６が生成した画像情報１１３の撮影された日時等を示す撮影履歴情報１１４、コンテンツ情報１１１と画像情報１１３との対応付けを示す対応情報１１５等を格納する。
【００３５】
なお、外部のサーバ等を、再生履歴記録手段１０１、コンテンツ検索手段１０３、対応情報作成手段１０４として機能させるとともに、外部の記憶部にコンテンツ情報１１１、再生履歴情報１１２、対応情報１１５を格納し、他の構成を利用者が携帯する情報処理装置に設ける、クラウドコンピューティングの構成としてもよい。また、情報処理装置１に設ける構成と外部サーバに設ける構成とは適宜入れ替えて構成してもよい。
【００３６】
図３は、コンテンツ情報１１１の構成の一例を示す概略図である。
【００３７】
コンテンツ情報１１１は、コンテンツ情報１１１を識別するためのコンテンツＩＤと、案内対象を識別するための案内対象ＩＤと、案内対象の所在の位置情報を示す緯度／経度と、案内対象に対して再生する音声コンテンツの案内内容とを有する。
【００３８】
なお、コンテンツ情報１１１は、一例として情報処理装置１の管理者によって予め登録されるものである。
【００３９】
図４は、再生履歴情報１１２の構成の一例を示す概略図である。
【００４０】
再生履歴情報１１２は、再生履歴を識別するための再生履歴ＩＤと、コンテンツ情報１１１の再生が開始された時刻を示す再生開始時刻と、コンテンツ情報１１１の再生が終了された時刻を示す再生終了時刻と、コンテンツ情報１１１を識別するためのコンテンツＩＤとを有する。
【００４１】
図５は、撮影履歴情報１１４の構成の一例を示す概略図である。
【００４２】
撮影履歴情報１１４は、撮影により生成された画像情報１１３を識別するための画像情報ＩＤと、撮影された時刻を示す撮影時刻と、撮影により生成された画像情報１１３の保存先を示すファイルパスと、撮影された一の緯度／経度とを有する。
【００４３】
図６は、対応情報１１５の構成の一例を示す概略図である。
【００４４】
対応情報１１５は、コンテンツ情報１１１と対応付けられる画像情報１１３の識別子を示す画像情報ＩＤと、画像情報１１３と対応付けられるコンテンツ情報１１１の識別子を示すコンテンツＩＤとを有する。
【００４５】
（情報処理装置の動作）
次に、本実施の形態の作用を、（１）基本動作、（２）コンテンツ検索動作、（３）コンテンツ再生動作に分けて、図１−図１１を参照しつつ説明する。
【００４６】
（１）基本動作
情報処理装置１は、利用者２によって携帯され、利用者２が案内対象３を案内する範囲に入ると、情報処理装置１のコンテンツ再生手段１００は案内対象３を案内するために記憶部１１に予め登録されたコンテンツ情報１１１を再生する。コンテンツ再生手段１００は、位置情報取得部１７から位置情報を取得して、図３に示すコンテンツ情報１１１の緯度／経度に近いものがあった場合に案内内容を音声出力部１４から音声で出力する。
【００４７】
次に、コンテンツ再生手段１００がコンテンツ情報１１１を再生した場合、再生履歴記録手段１０１は、コンテンツ再生手段１００が再生したコンテンツＩＤ、再生の開始及び終了時刻に再生履歴ＩＤを付して図４に示す再生履歴情報１１２に記録する。
【００４８】
また、利用者２は、情報処理装置１の撮像部１６を利用して、案内対象３を撮影する。情報処理装置１の写真撮影手段１０２は、利用者２の操作により案内対象３等を撮像部１６によって撮像することで画像情報１１３を生成する。生成された画像情報１１３は記憶部１１に保存される。
【００４９】
次に、写真撮影手段１０２は、撮影した時刻、生成した画像情報１１３の保存先、撮影した位置情報を図５に示す撮影履歴情報１１４に記録する。
【００５０】
以下に、利用者２が情報処理装置１の操作部１５を操作して、画像情報１１３を選択して表示部１３に表示し、選択した画像情報１１３に対応付けられたコンテンツ情報１１１を再生する際の情報処理装置１の動作について説明する。
【００５１】
図７は、情報処理装置１の基本動作の一例を示すフローチャートである。
【００５２】
まず、情報処理装置１の画像情報選択手段１０５は、利用者２の操作部１５に対する操作に応じて画像情報１１３の一覧を表示部１３に表示するとともに、当該一覧から画像情報１１３の選択を受け付ける（Ｓ１）。
【００５３】
図１１（ａ）は、画像情報１１３の一覧を表示した場合の表示部１３の構成の一例を示す概略図である。
【００５４】
一覧表示１３０ａは、表示部１３に表示され、画像情報１１３のサムネイル１３０ａ１、１３０ａ２、１３０ａ３…を表示する。
【００５５】
次に、コンテンツ検索手段１０３は、選択された画像情報１１３に対応するコンテンツ情報１１１を検索する（Ｓ２）。なお、コンテンツ検索手段１０３の検索動作については「（２）コンテンツ検索動作」において詳細に説明する。
【００５６】
次に、選択された画像情報１１３に対応するコンテンツ情報１１１が存在する場合（Ｓ３；Ｙｅｓ）、出力手段１０６は、選択された画像情報１１３を表示部１３に表示するとともに、対応するコンテンツ情報１１１を音声出力部１４から出力する（Ｓ４）。なお、出力手段１０６の出力動作については、「（３）コンテンツ出力動作」において詳細に説明する。
【００５７】
図１１（ｂ）は、選択された画像情報１１３を表示し、選択された画像情報１１３に対応するコンテンツ情報１１１を再生する情報処理装置１の構成の一例を示す概略図である。
【００５８】
選択画像表示１３０ｂは、図１１（ａ）のサムネイル１３０ａ１、１３０ａ２、１３０ａ３…から選択された画像情報１１３を表示するものであり、情報処理装置１の音声出力部１４は、対応するコンテンツ情報１１１を再生する。
【００５９】
（２）コンテンツ検索動作
以下に、図７のステップＳ２の動作の詳細について説明する。
【００６０】
図８は、情報処理装置１のコンテンツ検索動作の一例を説明するフローチャートである。
【００６１】
まず、コンテンツ検索手段１０３は、画像情報選択手段１０５により選択された画像情報１１３の撮影履歴情報１１４を取得する（Ｓ２０）。
【００６２】
上記した選択された画像情報１１３の画像情報ＩＤを「００１」であるとすると、図５に示す撮影履歴情報１１４によれば撮影時刻は「２０１２／０３／１５  １０：０７：００」である。
【００６３】
次に、コンテンツ検索手段１０３は、取得した撮影履歴情報１１４に基づいてコンテンツ検索条件を作成する（Ｓ２１）。
【００６４】
取得した撮影履歴情報１１４の撮影時刻は「２０１２／０３／１５  １０：０７：００」であるため、コンテンツ検索手段１０３は、コンテンツ検索条件の一例として前後３分の時間帯「２０１２／０３／１５  １０：０４：００」−「２０１２／０３／１５  １０：１０：００」を、コンテンツ情報１１１を検索する時間帯とする。
【００６５】
次に、コンテンツ検索手段１０３は、作成したコンテンツ検索条件に基づいて対応するコンテンツ情報１１１を再生履歴情報１１２から検索する（Ｓ２２）。
【００６６】
ステップＳ２２による検索により検索結果があった場合（Ｓ２３；Ｙｅｓ）、選択された画像情報１１３と検索結果としてのコンテンツ情報１１１とを対応付けた対応情報１１５を作成する（Ｓ２４）。
【００６７】
図９は、コンテンツ検索条件としてのコンテンツ検索時間帯と再生履歴情報から得られるコンテンツ再生時間との関係の一例を示す概略図である。
【００６８】
図４に示す再生履歴情報１１２によれば再生履歴ＩＤ「０００１」の再生開始時刻「２０１２／０３／１５  １０：００：００」から再生終了時刻「２０１２／０３／１５  １０：０５：００」の範囲と、作成したコンテンツ検索条件「２０１２／０３／１５  １０：０４：００」−「２０１２／０３／１５  １０：１０：００」の範囲とが、互いに重複する部分があるため、コンテンツＩＤ「０１００３」が画像情報ＩＤ「００１」に対応付けられる。
【００６９】
なお、ステップＳ２３において複数の検索結果が得られた場合は、図６に示すように、ステップＳ２４において１つの画像情報１１３に対して複数のコンテンツ情報１１１を対応付けた対応情報１１５を作成する。
【００７０】
また、「（２）コンテンツ検索動作」で説明したコンテンツ情報１１１の検索動作は、「緯度／経度」で示される位置情報によっても同様に行うことができる。この場合、撮影履歴情報１１４の「緯度／経度」を中心として、予め定めた範囲をステップＳ２１におけるコンテンツ検索条件とし、対応情報作成手段１０４は、当該コンテンツ検索条件にコンテンツ情報１１１の「緯度／経度」が含まれるコンテンツ情報１１１を対応付ける。
【００７１】
（３）コンテンツ出力動作
以下に、図７のステップＳ４の動作の詳細について説明する。
【００７２】
図１０は、情報処理装置１のコンテンツ出力動作の一例を説明するフローチャートである。
【００７３】
まず、出力手段１０６は、選択された画像情報１１３の対応情報１１５を取得する（Ｓ４０）。
【００７４】
図６に示す対応情報１１５のように、１つの画像情報１１３に複数のコンテンツＩＤ「０１００３」及び「０１００６」が対応している場合（Ｓ４１；Ｙｅｓ）、出力手段１０６は当該複数のコンテンツ情報１１１のタイトルを表示部１３に表示し（Ｓ４２）、利用者に適切なコンテンツ情報１１１を選択させる。コンテンツ情報１１１のタイトルは、予め設定可能であり、「０１００３」については、例えば、「東京タワー」と表示し、「０１００６」については「芝公園」と表示する。
【００７５】
利用者がコンテンツ情報１１１を選択操作すると、出力手段１０６はコンテンツ情報１１１の選択操作を受け付け（Ｓ４３）、選択されたコンテンツ情報１１１を取得する（Ｓ４４）。例えば、「東京タワー」が選択された場合には、コンテンツＩＤ「０１００３」のコンテンツ情報１１１を取得する。
【００７６】
なお、ステップＳ４１において１つの画像情報１１３に１つのコンテンツ情報１１１が対応している場合は（Ｓ４１；Ｎｏ）、対応しているコンテンツ情報１１１を取得する。
【００７７】
次に、出力手段１０６は、選択された画像情報１１３と取得したコンテンツ情報１１１とを出力する（Ｓ４５）。ここで、出力手段１０６は、図１１（ｂ）に示すように、選択された画像情報１１３を表示部１３に表示するとともに、対応するコンテンツ情報１１１を音声出力部１４から出力する。
【００７８】
なお、対応情報１１５の作成のタイミングは、上記した実施の形態においては画像情報選択手段１０５によって画像情報１１３が選択されたタイミングであるが、画像情報１１３が生成され、撮影履歴情報１１４が記録された後であれば任意のタイミングで行ってよい。任意のタイミングは、画像情報１１３が生成され、撮影履歴情報１１４が記録された直後であってもよいし、定期的に行われるものであってもよい。
【００７９】
［他の実施の形態］
なお、本発明は、上記実施の形態に限定されず、本発明の趣旨を逸脱しない範囲で種々な変形が可能である。例えば、図１０のステップＳ４５において出力手段１０６が画像情報１１３及びコンテンツ情報１１１の出力方法は以下に示す図１２又は図１３のようにしてもよい。
【００８０】
図１２（ａ）及び（ｂ）は、出力手段１０６の画像情報１１３及びコンテンツ情報１１１の出力方法の他の例を示す概略図である。
【００８１】
図１２（ａ）に示すように、出力手段１０６は、光学読み取りが可能なコード１０６ａ１を画像情報１１３に付加し、図示しない印刷装置等で印刷することで写真印刷物１０６ａとして出力するようにしてもよい。コード１０６ａ１には、印刷された画像情報１１３に対応付けられたコンテンツ情報１１１にアクセスするための情報が含まれているものとする。
【００８２】
情報処理装置１の出力手段１０６は、当該写真印刷物１０６ａのコード１０６ａ１を撮像部１６によって読み取ることにより、図１２（ｂ）に示すように、対応するコンテンツ情報１１１を取得し、音声出力部１４から出力する。
【００８３】
図１３は、出力手段１０６の画像情報１１３及びコンテンツ情報１１１の出力方法の他の例を示す概略図である。
【００８４】
また、図１３に示すように、出力手段１０６は、画像情報１１３に対応するコンテンツ情報１１１の案内内容をテキスト化したコンテンツ文章１０６ｂ１を付加し、図示しない印刷装置等で印刷することで写真印刷物１０６ｂとして出力するようにしてもよい。
【００８５】
上記実施の形態では制御部１０の各手段１００〜１０６の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００８６】
１     情報処理装置
２     利用者
３     案内対象
１０   制御部
１１   記憶部
１２   通信部
１３   表示部
１４   音声出力部
１５   操作部
１６   撮像部
１７   位置情報取得部
１００ コンテンツ再生手段
１０１ 再生履歴記録手段
１０２ 写真撮影手段
１０３ コンテンツ検索手段
１０４ 対応情報作成手段
１０５ 画像情報選択手段
１０６ 出力手段
１０６ａ      写真印刷物
１０６ａ１    コード
１０６ｂ      写真印刷物
１０６ｂ１    コンテンツ文章
１１０ 情報処理プログラム
１１１ コンテンツ情報
１１２ 再生履歴情報
１１３ 画像情報
１１４ 撮影履歴情報
１１５ 対応情報
１３０ａ      一覧表示
１３０ａ１、１３０ａ２、１３０ａ３ サムネイル
１３０ｂ      選択画像表示
【図１】
2014192718.tif 000003
【図２】
2014192718.tif 000004
【図３】
2014192718.tif 000005
【図４】
2014192718.tif 000006
【図５】
2014192718.tif 000007
【図６】
2014192718.tif 000008
【図７】
2014192718.tif 000009
【図８】
2014192718.tif 000010
【図９】
2014192718.tif 000011
【図１０】
2014192718.tif 000012
【図１１】
2014192718.tif 000013
【図１２】
2014192718.tif 000014
【図１３】
2014192718.tif 000015
【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
案内対象を案内するコンテンツ情報を、前記案内対象の位置に関連づけて記憶する記憶手段と、
前記案内対象の位置から予め定められた範囲に入ると前記コンテンツ情報を再生する再生手段と、
前記再生手段により前記コンテンツ情報が再生された日時と、画像情報が撮影された日時が予め定められた時間差内のとき、前記コンテンツ情報と前記画像情報とを対応付ける対応情報を作成する作成手段とを有する情報処理装置。
【請求項２】
前記作成手段は、前記画像情報が撮影された位置が、前記案内対象の位置から予め定められた範囲内のとき、前記コンテンツ情報と前記画像情報とを対応付ける対応情報を作成する請求項１に記載の情報処理装置。
【請求項３】
前記画像情報が選択された場合に、前記画像情報を表示するとともに、前記対応情報に基づいて前記選択された画像情報に対応するコンテンツ情報を取得し、当該コンテンツ情報を再生して出力する出力手段をさらに有する請求項１又は２に記載の情報処理装置。
【請求項４】
前記画像情報が選択された場合に、前記対応情報に基づいて前記選択された画像情報に対応するコンテンツ情報を検索し、前記画像情報に当該コンテンツ情報を再生するための情報を付加して印刷して出力する出力手段をさらに有する請求項１又は２に記載の情報処理装置。
【請求項５】
前記画像情報が選択された場合に、前記対応情報に基づいて前記選択された画像情報に対応するコンテンツ情報を取得し、前記画像情報に当該コンテンツ情報をテキスト化して付加して印刷して出力する出力手段をさらに有する請求項１又は２に記載の情報処理装置。
【請求項６】
コンピュータを、
案内対象を案内するコンテンツ情報を、前記案内対象の位置に関連づけて記憶する記憶手段と、
前記案内対象の位置から予め定められた範囲に入ると前記コンテンツ情報を再生する再生手段と、
前記再生手段により前記コンテンツ情報が再生された日時と、画像情報が撮影された日時が予め定められた時間差内のとき、前記コンテンツ情報と前記画像情報とを対応付ける対応情報を作成する作成手段として機能させるための情報処理プログラム。
【請求項７】
案内対象の位置と関連づけて予め登録された、前記案内対象を案内するコンテンツ情報を出力する情報出力手段と、
画像情報が撮影された日時の前または後の少なくとも一方に予め定められた時間帯を検索する時間帯に設定し、前記コンテンツ情報の出力が開始された時刻から前記コンテンツ情報の出力が終了した時刻までの範囲と、前記検索する時間帯とが、一部又は全部において互いに重複する場合、前記コンテンツ情報と前記画像情報とを対応付ける対応情報を作成する作成手段とを有する情報処理装置。
【請求項８】
自己の装置の位置情報に基づいて予め登録されたコンテンツ情報を再生する再生手段と、
前記再生手段がコンテンツ情報を再生した日時を再生履歴情報として記録する再生記録手段と、
前記再生履歴情報と、画像情報の撮影された日時を示す撮影履歴情報とに基づいて前記コンテンツ情報と前記画像情報とを対応付ける対応情報を作成する作成手段を有する情報処理装置。
【手続補正２】
【補正対象書類名】明細書
【補正対象項目名】０００７
【補正方法】変更
【補正の内容】
【０００７】
［１］案内対象を案内するコンテンツ情報を、前記案内対象の位置に関連づけて記憶する記憶手段と、
前記案内対象の位置から予め定められた範囲に入ると前記コンテンツ情報を再生する再生手段と、
前記再生手段により前記コンテンツ情報が再生された日時と、画像情報が撮影された日時が予め定められた時間差内のとき、前記コンテンツ情報と前記画像情報とを対応付ける対応情報を作成する作成手段とを有する情報処理装置。
【手続補正３】
【補正対象書類名】明細書
【補正対象項目名】０００８
【補正方法】変更
【補正の内容】
【０００８】
［２］前記作成手段は、前記画像情報が撮影された位置が、前記案内対象の位置から予め定められた範囲内のとき、前記コンテンツ情報と前記画像情報とを対応付ける対応情報を作成する前記［１］に記載の情報処理装置。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
［６］コンピュータを、
案内対象を案内するコンテンツ情報を、前記案内対象の位置に関連づけて記憶する記憶手段と、
前記案内対象の位置から予め定められた範囲に入ると前記コンテンツ情報を再生する再生手段と、
前記再生手段により前記コンテンツ情報が再生された日時と、画像情報が撮影された日時が予め定められた時間差内のとき、前記コンテンツ情報と前記画像情報とを対応付ける対応情報を作成する作成手段として機能させるための情報処理プログラム。
［７］案内対象の位置と関連づけて予め登録された、前記案内対象を案内するコンテンツ情報を出力する情報出力手段と、
画像情報が撮影された日時の前または後の少なくとも一方に予め定められた時間帯を検索する時間帯に設定し、前記コンテンツ情報の出力が開始された時刻から前記コンテンツ情報の出力が終了した時刻までの範囲と、前記検索する時間帯とが、一部又は全部において互いに重複する場合、前記コンテンツ情報と前記画像情報とを対応付ける対応情報を作成する作成手段とを有する情報処理装置。
［８］自己の装置の位置情報に基づいて予め登録されたコンテンツ情報を再生する再生手段と、
前記再生手段がコンテンツ情報を再生した日時を再生履歴情報として記録する再生記録手段と、
前記再生履歴情報と、画像情報の撮影された日時を示す撮影履歴情報とに基づいて前記コンテンツ情報と前記画像情報とを対応付ける対応情報を作成する作成手段を有する情報処理装置。
【手続補正６】
【補正対象書類名】明細書
【補正対象項目名】００１４
【補正方法】変更
【補正の内容】
【００１４】
請求項１、６、７又は８に係る発明によれば、利用者が利用したコンテンツ情報と、コンテンツ情報の利用に関連して利用者が登録した画像情報とを対応付けることができる。
【手続補正７】
【補正対象書類名】明細書
【補正対象項目名】００１９
【補正方法】削除
【補正の内容】